【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
トナー像を担持する像担持体と、転写部材と、前記転写部材に電圧を印加する電圧印加手段と、前記電圧印加手段の出力を制御する制御手段と、を有し、前記像担持体と該転写部材が形成する転写位置において前記像担持体上のトナー像を転写する画像形成装置において、
前記制御手段が前記電圧印加手段の出力を第１の電圧値から第２の電圧値に切り替える第１のモードと第２のモードとを有し、前記第２の電圧値は、前記像担持体上のトナー像を転写するための電圧値であり、前記第１のモードにおける前記第１の電圧値と前記第２の電圧値の差は、前記第２のモードにおける前記第１の電圧値と前記第２の電圧値の差よりも大きく、前記第１のモードにおける前記制御手段による切り替えタイミングから前記像担持体の転写材先端位置に対応する位置が前記転写位置に進入するタイミングまでの時間は、前記第２のモードにおける前記制御手段による切り替えタイミングから前記像担持体の転写材先端位置に対応する位置が前記転写位置に進入するタイミングまでの時間よりも長いことを特徴とする画像形成装置。
【請求項２】
前記第２のモードにおける前記制御手段による切り替えタイミングから前記像担持体の転写材先端位置に対応する位置が前記転写位置に進入するタイミングまでの時間が０であることを特徴とする請求項１に記載の画像形成装置。
【請求項３】
トナー像を担持する像担持体と、前記像担持体からトナー像を転写材に転写するための転写部材と、前記転写部材に電圧を印加する電圧印加手段と、前記電圧印加手段の出力を制御する制御手段と、を有する画像形成装置において、
前記制御手段が前記電圧印加手段の出力を第１の電圧値から第２の電圧値に切り替える第１のモードと第２のモードとを有し、前記第２の電圧値は前記像担持体上のトナー像を転写材へ転写するための電圧値であり、前記第１のモードは、前記像担持体と前記転写部材が形成する転写位置に転写材が進入する前に、前記制御部が前記電圧印加手段の出力を切り替え、前記第２のモードは、前記像担持体と前記転写部材が形成する転写位置に転写材が進入するときに、前記制御部が前記電圧印加手段の出力を切り替えることを特徴とする画像形成装置。
【請求項４】
転写材の種類に応じて前記第１のモードか前記第２のモードかを選択することを特徴とする請求項３に記載の画像形成装置。
【請求項５】
転写材が厚紙であるときには第１のモードを選択し、転写材が普通紙であるときには第２のモードを選択することを特徴とする請求項４に記載の画像形成装置。
【請求項６】
転写材の両面にトナー像を転写でき、一面目の画像形成時と二面目の画像形成時転に適用するモードが異なることを特徴とする請求項３に記載の画像形成装置。
【請求項７】
トナー像を担持する像担持体と、前記像担持体からトナー像を転写するための転写部材と、前記転写部材に電圧を印加する電圧印加手段と、前記電圧印加手段の出力を制御する制御手段と、を有する画像形成装置において、
前記制御手段が前記電圧印加手段の出力を第１の電圧値から第２の電圧値に切り替える第１のモードと第２のモードとを有し、前記第２の電圧値は、前記像担持体上のトナー像を転写するための電圧値であり、前記第１のモードにおける前記第１の電圧値と前記第２の電圧値の差は、前記第２のモードにおける前記第１の電圧値と前記第２の電圧値の差よりも大きく、前記第１のモードの前記制御手段による切り替えの方が、前記第２のモードの前記制御手段による切り替えよりも早くに行われることを特徴とする画像形成装置。
【請求項８】
前記像担持体と前記転写部材が形成する転写位置において前記像担持体からトナー像が転写され、前記像担持体上の所定位置が前記転写位置に進入するタイミングから前記第１のモードにおける前記制御手段による切り替えタイミングまでの時間は、前記像担持体上の所定位置が前記転写位置に進入するタイミングから前記第２のモードにおける前記制御手段による切り替えタイミングまでの時間よりも短いことを特徴とする請求項７に記載の画像形成装置。
【請求項９】
前記第２のモードにおける前記制御手段による切り替えタイミングは、前記像担持体の転写材先端位置に対応する位置が前記転写位置に進入するタイミングよりも早く、前記第１のモードにおける前記制御手段による切り替えタイミングは、前記第２のモードにおける前記制御手段による切り替えタイミングよりも遅いことを特徴とする請求項７に記載の画像形成装置。
【請求項１０】
前記制御手段がトナー像の転写を行っていない時に前記転写位置にバイアスを印加することで、前記転写位置の抵抗を測定することを特徴とする請求項１，３，７，８，９のいずれか一項に記載の画像形成装置。
【請求項１１】
前記制御手段は、前記転写位置の抵抗に応じて前記第２の電圧値を設定することを特徴とする請求項１，３，７，８，９，１０のいずれか一項に記載の画像形成装置。
【請求項１２】
前記転写位置の抵抗から、該画像形成装置本体の雰囲気を判定することを特徴とする請求項１，３，７，８，９，１０のいずれ一項に記載の画像形成装置。
【請求項１３】
該画像形成装置本体の雰囲気の判定結果に応じて前記モードを選択することを特徴とする請求項１，３，７，８，９，１０のいずれか一項に記載の画像形成装置。
【請求項１４】
前記転写位置の抵抗に応じて前記モードの選択をするとともに、前記第２の電圧値の設定を行うことを特徴とする請求項１，３，７，８，９，１０のいずれか一項に記載の画像形成装置。
【請求項１５】
転写材の種類に応じて前記モードを選択することを特徴とする請求項１，７，８，９，１０のいずれか一項に記載の画像形成装置。
【請求項１６】
前記第１のモードにおける前記第１の電圧値と、前記第２のモードにおける前記第１の電圧値は異なることを特徴とする請求項１，３，７のいずれか一項に記載の画像形成装置。
【請求項１７】
前記第１のモードにおける前記第２の電圧値と、前記第２のモードにおける前記第２の電圧値は異なることを特徴とする請求項１，３，７のいずれか一項に記載の画像形成装置。
【手続補正２】
【補正対象書類名】明細書
【補正対象項目名】００２６
【補正方法】変更
【補正の内容】
【００２６】
本発明は、トナー像を担持する像担持体と、転写部材と、前記転写部材に電圧を印加する電圧印加手段と、前記電圧印加手段の出力を制御する制御手段と、を有し、前記像担持体と該転写部材が形成する転写位置において前記像担持体上のトナー像を転写する画像形成装置において、前記制御手段が前記電圧印加手段の出力を第１の電圧値から第２の電圧値に切り替える第１のモードと第２のモードとを有し、前記第２の電圧値は、前記像担持体上のトナー像を転写するための電圧値であり、前記第１のモードにおける前記第１の電圧値と前記第２の電圧値の差は、前記第２のモードにおける前記第１の電圧値と前記第２の電圧値の差よりも大きく、前記第１のモードにおける前記制御手段による切り替えタイミングから前記像担持体の転写材先端位置に対応する位置が前記転写位置に進入するタイミングまでの時間は、前記第２のモードにおける前記制御手段による切り替えタイミングから前記像担持体の転写材先端位置に対応する位置が前記転写位置に進入するタイミングまでの時間よりも長いことを特徴とする。
【手続補正３】
【補正対象書類名】明細書
【補正対象項目名】００２７
【補正方法】変更
【補正の内容】
【００２７】
前記第２のモードにおける前記制御手段による切り替えタイミングから前記像担持体の転写材先端位置に対応する位置が前記転写位置に進入するタイミングまでの時間が０であることを特徴とする。
【手続補正４】
【補正対象書類名】明細書
【補正対象項目名】００２８
【補正方法】変更
【補正の内容】
【００２８】
本発明は、トナー像を担持する像担持体と、前記像担持体からトナー像を転写材に転写するための転写部材と、前記転写部材に電圧を印加する電圧印加手段と、前記電圧印加手段の出力を制御する制御手段と、を有する画像形成装置において、前記制御手段が前記電圧印加手段の出力を第１の電圧値から第２の電圧値に切り替える第１のモードと第２のモードとを有し、前記第２の電圧値は前記像担持体上のトナー像を転写材へ転写するための電圧値であり、前記第１のモードは、前記像担持体と前記転写部材が形成する転写位置に転写材が進入する前に、前記制御部が前記電圧印加手段の出力を切り替え、前記第２のモードは、前記像担持体と前記転写部材が形成する転写位置に転写材が進入するときに、前記制御部が前記電圧印加手段の出力を切り替えることを特徴とする。
【手続補正５】
【補正対象書類名】明細書
【補正対象項目名】００２９
【補正方法】変更
【補正の内容】
【００２９】
転写材の種類に応じて前記モードを選択することを特徴とする。
【手続補正６】
【補正対象書類名】明細書
【補正対象項目名】００３０
【補正方法】変更
【補正の内容】
【００３０】
転写材が厚紙であるときには第１のモードを選択し、転写材が普通紙であるときには第２のモードを選択することを特徴とする。
【手続補正７】
【補正対象書類名】明細書
【補正対象項目名】００３１
【補正方法】変更
【補正の内容】
【００３１】
転写材の両面にトナー像を転写でき、一面目の画像形成時と二面目の画像形成時転に適用するモードが異なることを特徴とする。
【手続補正８】
【補正対象書類名】明細書
【補正対象項目名】００３２
【補正方法】変更
【補正の内容】
【００３２】
本発明は、トナー像を担持する像担持体と、前記像担持体からトナー像を転写するための転写部材と、前記転写部材に電圧を印加する電圧印加手段と、前記電圧印加手段の出力を制御する制御手段と、を有する画像形成装置において、前記制御手段が前記電圧印加手段の出力を第１の電圧値から第２の電圧値に切り替える第１のモードと第２のモードとを有し、前記第２の電圧値は、前記像担持体上のトナー像を転写するための電圧値であり、前記第１のモードにおける前記第１の電圧値と前記第２の電圧値の差は、前記第２のモードにおける前記第１の電圧値と前記第２の電圧値の差よりも大きく、前記第１のモードの前記制御手段による切り替えの方が、前記第２のモードの前記制御手段による切り替えよりも早くに行われることを特徴とする。
【手続補正９】
【補正対象書類名】明細書
【補正対象項目名】００３３
【補正方法】変更
【補正の内容】
【００３３】
前記像担持体と前記転写部材が形成する転写位置において前記像担持体からトナー像が転写され、前記像担持体上の所定位置が前記転写位置に進入するタイミングから前記第１のモードにおける前記制御手段による切り替えタイミングまでの時間は、前記像担持体上の所定位置が前記転写位置に進入するタイミングから前記第２のモードにおける前記制御手段による切り替えタイミングまでの時間よりも短いことを特徴とする。
【手続補正１０】
【補正対象書類名】明細書
【補正対象項目名】００３４
【補正方法】変更
【補正の内容】
【００３４】
前記第２のモードにおける前記制御手段による切り替えタイミングは、前記像担持体の転写材先端位置に対応する位置が前記転写位置に進入するタイミングよりも早く、前記第１のモードにおける前記制御手段による切り替えタイミングは、前記第２のモードにおける前記制御手段による切り替えタイミングよりも遅いことを特徴とする。
【手続補正１１】
【補正対象書類名】明細書
【補正対象項目名】００３５
【補正方法】変更
【補正の内容】
【００３５】
前記制御手段がトナー像の転写を行っていない時に前記転写位置にバイアスを印加することで、前記転写位置の抵抗を測定することを特徴とする。
【手続補正１２】
【補正対象書類名】明細書
【補正対象項目名】００３６
【補正方法】変更
【補正の内容】
【００３６】
前記制御手段は、前記転写位置の抵抗に応じて前記第２の電圧値を設定することを特徴とする。
【手続補正１３】
【補正対象書類名】明細書
【補正対象項目名】００３７
【補正方法】変更
【補正の内容】
【００３７】
前記転写位置の抵抗から、該画像形成装置本体の雰囲気を判定することを特徴とする。
【手続補正１４】
【補正対象書類名】明細書
【補正対象項目名】００３８
【補正方法】変更
【補正の内容】
【００３８】
該画像形成装置本体の雰囲気の判定結果に応じて前記モードを選択することを特徴とする。
【手続補正１５】
【補正対象書類名】明細書
【補正対象項目名】００３９
【補正方法】変更
【補正の内容】
【００３９】
前記転写位置の抵抗に応じて前記モードの選択をするとともに、前記第２の電圧値の設定を行うことを特徴とする。
【手続補正１６】
【補正対象書類名】明細書
【補正対象項目名】００４０
【補正方法】変更
【補正の内容】
【００４０】
転写材の種類に応じて前記モードを選択することを特徴とする。
【手続補正１７】
【補正対象書類名】明細書
【補正対象項目名】００４１
【補正方法】変更
【補正の内容】
【００４１】
前記第１のモードにおける前記第１の電圧値と、前記第２のモードにおける前記第１の電圧値は異なることを特徴とする。
【手続補正１８】
【補正対象書類名】明細書
【補正対象項目名】００４２
【補正方法】変更
【補正の内容】
【００４２】
前記第１のモードにおける前記第２の電圧値と、前記第２のモードにおける前記第２の電圧値は異なることを特徴とする。
【手続補正１９】
【補正対象書類名】明細書
【補正対象項目名】００４３
【補正方法】削除
【補正の内容】